【手続補正書】
【提出日】平成25年1月18日(2013.1.18)
【手続補正１】
【補正対象書類名】明細書
【補正対象項目名】発明の名称
【補正方法】変更
【補正の内容】
【発明の名称】画像形成システム及びその制御方法
【手続補正２】
【補正対象書類名】明細書
【補正対象項目名】０００１
【補正方法】変更
【補正の内容】
【０００１】
本発明は、複写機等の画像形成装置を複数台用いた画像形成システム及びその制御方法に関し、特に、複数台の画像形成装置が相互に連結された画像形成システム及びその制御方法に関する。
【手続補正３】
【補正対象書類名】明細書
【補正対象項目名】００１０
【補正方法】変更
【補正の内容】
【００１０】
従って、本発明の目的は、上記の問題点を鑑みて、両面印刷を行って、後処理装置において後処理を行う際に、電力消費を低減することのできる画像形成システム及びその制御方法を提供することにある。
【手続補正４】
【補正対象書類名】明細書
【補正対象項目名】００１１
【補正方法】変更
【補正の内容】
【００１１】
上記の目的を達成するため、本発明による画像形成システムは、画像データに応じて記録シート上に画像形成を行う第１及び第２の画像形成装置を有し、前記第１及び前記第２の画像形成装置が相互に連結されて、前記第１の画像形成装置が記録シートの排出方向の上流側に位置し、前記第２の画像形成装置が両面印刷機能を備え、前記第２の画像形成装置から排出された記録シートに対して後処理を行う後処理装置を備える画像形成システムにおいて、前記記録シートに両面印刷を行う場合に、記録シートの一面に前記第１の画像形成装置で画像形成を行った後、該記録シートの他面に前記第２の画像形成装置で画像形成を行う第１の両面印刷制御と、前記第２の画像形成装置を用いて記録シートに両面印刷を行う第２の両面印刷制御とのいずれかを選択するものであり、前記後処理装置による後処理を行うことが指定されている場合、前記第１の両面印刷制御を行う際の前記後処理を含めた単位時間当りの第１の処理能力と前記第２の画像形成装置の単位時間当りの第２の処理能力とに応じて、前記第１及び前記第２の両面印刷制御のいずれかを選択する印刷制御手段を有することを特徴とする。
上記の目的を達成するため、本発明による制御方法は、画像データに応じて記録シート上に画像形成を行う第１及び第２の画像形成装置を有し、前記第１及び前記第２の画像形成装置が相互に連結されて、前記第１の画像形成装置が前記記録シートの排出方向の上流側に位置し、前記第２の画像形成装置が両面印刷機能を備え、前記第２の画像形成装置から排出された前記記録シートに対して後処理を行う後処理装置が備える画像形成システムを制御するための制御方法において、前記記録シートの一面に前記第１の画像形成装置で画像形成を行った後、該記録シートの他面に前記第２の画像形成装置で画像形成を行う第１の両面印刷制御を実行する第１のステップと、前記第２の画像形成装置を用いて前記記録シートの両方の面に画像形成を行う第２の両面印刷制御を実行する第２のステップと、前記第１の両面印刷制御を行った際の前記後処理を含めた単位時間当りの第１の処理能力と、前記第２の画像形成装置の単位時間当りの第２の処理能力とに応じて、前記第１の両面印刷制御と前記第２の両面印刷制御のいずれかを選択する第３のステップとを有することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明によれば、印刷制御手段が、後処理装置による後処理を行うことが指定されている場合、第１の両面印刷制御を行う際の後処理を含めた単位時間当りの第１の処理能力と第２の画像形成装置の単位時間当りの第２の処理能力とに応じて、第１及び第２の両面印刷制御のいずれかを選択して両面印刷を行うことができ、不要な電力の消費を低減することができるという効果がある。しかも、消費電力を低減させれば、部品寿命の高寿命化が図れ、不必要な騒音の発生も減少するという効果がある。
【手続補正９】
【補正対象書類名】特許請求の範囲
【補正対象項目名】全文
【補正方法】変更
【補正の内容】
【特許請求の範囲】
【請求項１】
画像データに応じて記録シート上に画像形成を行う第１及び第２の画像形成装置を有し、前記第１及び前記第２の画像形成装置が相互に連結されて、前記第１の画像形成装置が記録シートの排出方向の上流側に位置し、前記第２の画像形成装置が両面印刷機能を備え、前記第２の画像形成装置から排出された記録シートに対して後処理を行う後処理装置を備える画像形成システムにおいて、
前記記録シートに両面印刷を行う場合に、記録シートの一面に前記第１の画像形成装置で画像形成を行った後、該記録シートの他面に前記第２の画像形成装置で画像形成を行う第１の両面印刷制御と、前記第２の画像形成装置を用いて記録シートに両面印刷を行う第２の両面印刷制御とのいずれかを選択するものであり、前記後処理装置による後処理を行うことが指定されている場合、前記第１の両面印刷制御を行う際の前記後処理を含めた単位時間当りの第１の処理能力と前記第２の画像形成装置の単位時間当りの第２の処理能力とに応じて、前記第１及び前記第２の両面印刷制御のいずれかを選択する印刷制御手段を有することを特徴とする画像形成システム。
【請求項２】
前記印刷制御手段は、前記第１の両面印刷制御を行う際の前記後処理を含めた単位時間当りの第１の処理能力が前記第２の画像形成装置の単位時間当りの第２の処理能力よりも低い場合に、前記第２の両面印刷制御を選択し、前記第１の処理能力が前記第２の処理能力よりも高い場合に前記第１の両面印刷制御を選択することを特徴とする請求項１記載の画像形成システム。
【請求項３】
前記第１及び前記第２の画像形成置を、印刷を直ちに開始できる状態であるスタンバイ状態と該スタンバイ状態よりも消費電力が低いスリープ状態とのいずれかの状態に選択する状態選択手段を有し、
前記印刷制御手段は、前記第１の両面印刷制御を選択する場合、前記状態選択手段を制御して、前記第１及び前記第２の画像形成装置を前記スタンバイ状態とし、前記第２の両面印刷制御を選択する場合、前記状態選択手段を制御して、前記第１の画像形成装置を前記スリープ状態とし、前記第２の画像形成装置を前記スタンバイ状態とすることを特徴とする請求項１または２に記載の画像形成システム。
【請求項４】
前記後処理装置による後処理を行うことが指定されていない場合、前記印刷制御手段は、前記第１の両面印刷制御を実行することを特徴とする請求項１〜３の何れか１項に記載の画像形成システム。
【請求項５】
前記後処理装置による後処理を行うことが指定されている場合、前記印刷制御手段は、一部目の印刷では、前記第１の両面印刷制御を選択し、二部目以降の印刷では、一部目の処理時間に基づく前記第１の処理能力と前記第２の処理能力とに基づいて前記第１及び前記第２の両面印刷制御のいずれかを選択することを特徴とする請求項１〜４の何れか１項に記載の画像形成システム。
【請求項６】
一部目の印刷開始から一部目の後処理終了までに要した時間を一部目のページ数で除算した値を前記第１の処理能力として決定することを特徴とする請求項５記載の画像形成システム。
【請求項７】
画像データに応じて記録シート上に画像形成を行う第１及び第２の画像形成装置を有し、前記第１及び前記第２の画像形成装置が相互に連結されて、前記第１の画像形成装置が前記記録シートの排出方向の上流側に位置し、前記第２の画像形成装置が両面印刷機能を備え、前記第２の画像形成装置から排出された前記記録シートに対して後処理を行う後処理装置が備える画像形成システムを制御するための制御方法において、
前記記録シートの一面に前記第１の画像形成装置で画像形成を行った後、該記録シートの他面に前記第２の画像形成装置で画像形成を行う第１の両面印刷制御を実行する第１のステップと、
前記第２の画像形成装置を用いて前記記録シートの両方の面に画像形成を行う第２の両面印刷制御を実行する第２のステップと、
前記第１の両面印刷制御を行った際の前記後処理を含めた単位時間当りの第１の処理能力と、前記第２の画像形成装置の単位時間当りの第２の処理能力とに応じて、前記第１の両面印刷制御と前記第２の両面印刷制御のいずれかを選択する第３のステップとを有することを特徴とする制御方法。